(57)【要約】【課題】緊急を要する指令はすぐ対応し、緊急を要しない指令は後に実行し、あるいは同じ制御指令に対しては無駄を省くことによって応答性の向上を図ったシステム監視制御装置を提供する。【解決手段】制御対象システムに制御指令を与えるシステム監視制御装置において、監視対象システムから制御出力の条件となる故障・状態情報が入力される入力部と、遠方に設置されている遠方制御指令所からの制御指令を受信し、実行待ち制御指令として制御指令バッファに保存する指令受信部と、制御指令実行ルールに従って前記制御指令バッファから制御指令を読込み、読込んだ制御指令を実行する指令実行部と、前記制御指令を実行する条件を満たしているか判定する条件判定部と、前記条件判定部により出力する条件が整った場合、前記制御対象機器に制御指令を出力する制御出力部を備えているので、遠方制御指令所から制御指令を受信したとき、その優先度を制御用ソフトウェアを変更することなくルール設定の変更で容易に対応できる。【選択図】図１
2005094218.tif 000002
【特許請求の範囲】
【請求項１】
制御対象システムに制御指令を与えるシステム監視制御装置において、
監視対象システムから制御出力の条件となる故障・状態情報が入力される入力部と、
遠方に設置されている遠方制御指令所からの制御指令を受信し、実行待ち制御指令として制御指令バッファに保存する指令受信部と、
制御指令実行ルールに従って前記制御指令バッファから制御指令を読込み、読込んだ制御指令を実行する指令実行部と、
前記制御指令を実行する条件を満たしているかを判定する条件判定部と、
前記条件判定部により出力する条件が整った場合、前記制御対象機器に制御指令を出力する制御出力部を備えていることを特徴とするシステム監視制御装置。
【請求項２】
前記制御指令実行ルールは、優先制御指令や同一制御指令の抑制等をルール化することにより、前記バッファに収納されている実行待ち制御指令の優先順位を必要度の高い順に決めることができることを特徴とする請求項１記載のシステム監視制御装置。
【発明の詳細な説明】
【技術分野】
【０００１】
本発明は産業・交通・ビル・公共施設などのあらゆる分野に用いられる機器を監視制御するシステム監視制御装置に関する。
【背景技術】
【０００２】
制御対象機器のある現場にはシステム監視制御装置が設置されており、そこから制御指令が出力されることがあるが、通常は、遠方にある遠方制御指令所から現場のシステム監視制御装置に制御指令を送信して、制御対象機器を制御している。このとき、現場サイトの制御システムでは、システム監視制御装置が遠方制御指令所から受け取った制御指令を受信した順番に制御出力条件の判定後、制御出力している。
【発明の開示】
【発明が解決しようとする課題】
【０００３】
上記のように現場サイトのシステム監視制御装置では、遠方制御指令所から制御指令を一度に受信したらバッファに貯めて順番に実行する。従って、重要度の高い制御指令が重要度の高くない制御指令より後に来た場合でも、現場サイトのシステム監視制御装置では制御指令の順序を変更することなく受信した順に制御出力していた。同じ制御指令が続いた場合でもそれぞれの制御指令を実行しており、結果として無駄な動作をしていることがあった。  
しかし、現場サイトのシステム監視制御装置は事故防止のための機器の保護、系統保護のために、制御出力による応答性が重要となる。
【０００４】
また、特許文献１には、中央監視制御装置から伝送される制御指令を常に優先順位の高い順番に実行するようにして最優先すべき処理を即座に実行できる多重伝送負荷制御システムが開示されているが、例えば同じ制御指令が連続した場合では重複して実行するという問題があった。
【特許文献１】特開平８−１５４２７７号公報
【０００５】
本発明は上記状況に対処するためになされたもので、その課題は、緊急を要する指令にはすぐ対応できるようにし、比較的優先度の低い制御指令は後に実行し、あるいは同じ制御指令が送信されてきた場合に重複指令は省略することによって応答性の向上を図ったシステム監視制御装置を提供することにある。
【課題を解決するための手段】
【０００６】
上記課題を解決するために、本発明のシステム監視制御装置は、制御対象システムに制御指令を与えるシステム監視制御装置において、監視対象システムから制御出力の条件となる故障・状態情報が入力される入力部と、遠方に設置されている遠方制御指令所からの制御指令を受信し、実行待ち制御指令として制御指令バッファに保存する指令受信部と、制御指令実行ルールに従って前記制御指令バッファから制御指令を読込み、読込んだ制御指令を実行する指令実行部と、前記制御指令を実行する条件を満たしているか判定する条件判定部と、前記条件判定部により出力する条件が整った場合、前記制御対象機器に制御指令を出力する制御出力部を備えていることを特徴とする。
【発明の効果】
【０００７】
本発明によると、遠方制御指令所から制御指令を受信したとき、その優先度を制御用ソフトウェアを変更することなくルール設定の変更で容易に対応でき、また、それを実施することにより現場サイトの制御システムの負荷を軽減することができ、それと同時に現場サイトの制御システムの応答性を向上することが期待できる。
【発明を実施するための最良の形態】
【０００８】
本発明のシステム監視制御装置は、監視対象システムから制御出力の条件となる故障・状態情報を入力部に入力し、また遠方制御指令所から受信した実行待ち制御指令は制御指令バッファに保存すると共に、制御指令バッファから読込んだ制御指令を実行するために、制御指令実行ルールに従って実行する条件を満たしているかを条件判定部で判定し、出力条件が整っていれば制御対象システムに制御指令を出力するように構成されているので、ルール設定の変更のみで、優先度の変更に容易に対応できる。
【実施例】
【０００９】
図１は本発明の一実施形態であるシステム監視制御装置の機能ブロック図である。  
図に示すように、本発明のシステム監視制御装置１０は、入力部１１と条件判定部１２と制御出力部１３と指令受信部１４とバッファ１５と指令実行部１６とから構成されている。
【００１０】
次に、本実施例による制御出力を図２のフローチャートにより説明する。  
監視対象となっているシステム２０の状態情報は、システム監視装置１０の入力部１１が受け取る（ステップ１０１）。遠方制御指令所３０からシステム監視制御装置１０に制御指令が送信されると、システム監視制御装置１０の指令受信部１４が受信し、制御指令の実行待ち状態であるとバッファ１５に保存する（ステップ１０２）。バッファ１４に実行待ち制御指令があれば（ステップ１０３）、制御指令実行ルールを適用して（ステップ１０４）、指令実行部１４はバッファ１５から制御指令を取り出し（ステップ１０５）、条件判定部１２で入力部１１が読込んだ各制御指令のインターロック等の制御出力条件を判定し（ステップ１０６）、制御出力可と判定されたら制御出力部１３より制御対象システム２０に対して制御出力する（ステップ１０７）。
【００１１】
上記したように、指令実行部１６においては、バッファ１５から制御指令を１つ取り出すが、このとき制御指令実行ルールを参照し、そのルールに従って実行する制御指令を決定する。例えば、図３の制御指令実行ルールが適用された場合、図４のようなバッファの状態であったときは、１行目に優先制御指令として登録されている制御指令がバッファの２番目に優先制御指令である「ＦＬＫ１１」があるので、その制御指令を先に実行し、以降、その他の制御指令を順番に実行する。また、前記「ＦＬＫ１１」が実行された後、バッファ１５の中の実行待ち制御指令は「５２Ｒ１」が連続している。制御指令実行ルールの２行目に同一制御指令の抑制が「ＯＮ」となっているので、一方のみ制御実行されることになる。  
制御指令実行ルールは設定すると図３のように設定することができるので、制御指令実行ルールの変更は容易に行うことができる。
【図面の簡単な説明】
【００１２】
【図１】本発明に係る現場サイト側のシステム監視制御装置の機能ブロック図。
【図２】図１のシステム監視制御装置における制御指令実行のフローチャート。
【図３】図１のシステム監視制御装置における指令実行部の制御指令実行ルールを示す図。
【図４】遠方制御指令所から受信した実行待ち制御指令のバッファを示す図。
【符号の説明】
【００１３】
１０…システム監視制御装置、１１…入力部、１２…条件判定部、１３…制御出力部、１４…指令受信部、１５…バッファ、１６…指令実行部、２０…監視対象システム、３０…遠方制御指令所。
【図１】
2005094218.tif 000003
【図２】
2005094218.tif 000004
【図３】
2005094218.tif 000005
【図４】
2005094218.tif 000006